【手続補正書】
【提出日】平成24年11月27日(2012.11.27)
【手続補正１】
【補正対象書類名】特許請求の範囲
【補正対象項目名】全文
【補正方法】変更
【補正の内容】
【特許請求の範囲】
【請求項１】
携帯端末におけるコンテンツサービス提供方法において、
パイロットコンテンツと、前記パイロットコンテンツの暗号化キーを用いて暗号化したターゲットコンテンツとを含むパッケージングコンテンツを受信するステップと、
前記パッケージングコンテンツの再生が要請されると、前記パッケージングコンテンツの前記パイロットコンテンツを再生するステップと、
前記パイロットコンテンツの再生時、前記パイロットコンテンツのデータブロックを復号化するステップと、
前記データブロックの復号化によって前記データブロックに対応する複数の分割キーを獲得するステップと、
前記復号化によって獲得した前記複数の分割キーを用いて前記ターゲットコンテンツの再生のための復号化キーを生成するステップと、
前記ターゲットコンテンツ用復号化キーを用いて前記パッケージングコンテンツのターゲットコンテンツを再生するステップとを含むことを特徴とするコンテンツサービス提供方法。
【請求項２】
前記パッケージングコンテンツは、ヘッダーを含み、
前記ヘッダーは、前記パッケージングコンテンツの識別のための識別情報と、前記パイロットコンテンツの再生に優先順位を与える情報と、前記パイロットコンテンツの再生のための公開キーを獲得できるアドレス情報とを含むことを特徴とする請求項１に記載のコンテンツサービス提供方法。
【請求項３】
前記パイロットコンテンツの再生は、
前記パイロットコンテンツの再生に必要な公開キーを検索するステップと、
前記パイロットコンテンツの再生に必要な公開キーが検索されないと、前記公開キーを獲得するためのサーバーのアドレス情報を抽出するステップと、
前記アドレス情報によって前記パイロットコンテンツに対する前記公開キーを獲得するステップと、
前記公開キーによって前記パイロットコンテンツを再生するステップとを含むことを特徴とする請求項２に記載のコンテンツサービス提供方法。
【請求項４】
前記復号化キーの生成は、
前記パイロットコンテンツの再生時、前記パイロットコンテンツを構成する各データブロックと、前記各データブロックに割り当てられたマイルストーンから各々の分割キーを獲得し、前記パイロットコンテンツの再生を完了する際、前記獲得した複数の分割キーを用いて前記復号化キーを獲得し、
前記複数の分割キーは、前記各データブロック又は前記マイルストーンの個数に対応するように生成することを特徴とする請求項１に記載のコンテンツサービス提供方法。
【請求項５】
前記分割キーの獲得は、
前記パイロットコンテンツの最初のデータブロックの最初の分割キーからｎ番目のデータブロックのｎ番目の分割キーまで獲得し、
前記ターゲットコンテンツのための前記復号化キーは、前記最初の分割キー〜ｎ番目の分割キーを用いて生成することを特徴とする請求項４に記載のコンテンツサービス提供方法。
【請求項６】
前記複数の分割キーを用いて前記獲得したターゲットコンテンツ用復号化キーが正常であるか否かを判別するステップと、
前記獲得したターゲットコンテンツ用復号化キーが正常的な復号化キーでなければ、前記ターゲットコンテンツの再生を省略するステップと、
前記獲得したターゲットコンテンツ用復号化キーが正常的な復号化キーであれば、前記復号化キーを用いて前記ターゲットコンテンツを再生するステップとを含むことを特徴とする請求項１に記載のコンテンツサービス提供方法。
【請求項７】
前記復号化キーが正常的な復号化キーであれば、前記パイロットコンテンツの再生情報を累積して格納するステップと、
前記累積した再生情報とパイロットコンテンツの再生条件とを比較し、再生条件を満足するのか否かを判別するステップと、
前記再生条件を満足すると、前記復号化キーによって前記ターゲットコンテンツを再生するステップと、
前記ターゲットコンテンツの再生が完了する際、前記復号化キーを前記ターゲットコンテンツの復号化キーとして格納するステップとを含み、
ここで、前記再生条件は、前記パイロットコンテンツに対する正常的な再生ステップが実行された回数、又は時間に対する設定値であることを特徴とする請求項６に記載のコンテンツサービス提供方法。
【請求項８】
前記再生条件を満足しないと、前記復号化キーによって前記ターゲットコンテンツを再生するステップと、
前記ターゲットコンテンツの再生が完了する際、前記復号化キーを廃棄するステップとを含むことを特徴とする請求項７に記載のコンテンツサービス提供方法。
【請求項９】
パッケージングコンテンツの再生要請を受け取ると、前記パッケージングコンテンツのターゲットコンテンツのための格納された復号化キーの存在の有無を判断するステップと、
前記復号化キーが存在する場合、前記パイロットコンテンツの再生をスキップするステップと、
前記復号化キーによって前記ターゲットコンテンツを再生するステップとを含むことを特徴とする請求項７に記載のコンテンツサービス提供方法。
【請求項１０】
前記ターゲットコンテンツ用復号化キーと前記パッケージングコンテンツに含まれる認証情報とを比較するステップと、
前記ターゲットコンテンツ用復号化キーと前記認証情報とが一致するか否かによって、前記ターゲットコンテンツ用復号化キーが有効であるか否かを決定するステップと、
前記ターゲットコンテンツ用復号化キーが有効でない場合、前記パイロットコンテンツの獲得アドレス情報によって、前記パイロットコンテンツをダウンロードするステップとを含むことを特徴とする請求項１に記載のコンテンツサービス提供方法。
【請求項１１】
前記ターゲットコンテンツのための復号化キーを生成するステップは、
無料パイロットコンテンツの再生によって前記ターゲットコンテンツの復号化キーを獲得するステップと、
前記パイロットコンテンツの部分再生により割引された費用でターゲットコンテンツの復号化キーを獲得するステップとのうち、少なくとも一つを含むことを特徴とする請求項１に記載のコンテンツサービス提供方法。
【請求項１２】
前記パイロットコンテンツに対する再生の完了は、前記パイロットコンテンツに対する全体再生の完了、前記ターゲットコンテンツ用復号化キーの生成が完了する時点、又はユーザの要請による再生完了を含むことを特徴とする請求項１に記載のコンテンツサービス提供方法。
【請求項１３】
パッケージングサーバーにおけるコンテンツサービス提供方法において、
前記パッケージングコンテンツを構成するパイロットコンテンツ及びターゲットコンテンツを選択するステップと、
前記パイロットコンテンツを予め設定された個数のデータブロックに区分するステップと、
前記パイロットコンテンツの各データブロック別にマイルストーン（ｍｉｌｅｓｔｏｎｅ）を割り当てるステップと、
前記各データブロックと各データブロックに割り当てられた前記マイルストーンから複数の分割キーを計算するステップと、
前記複数の分割キーを用いて前記ターゲットコンテンツを暗号化するための暗号化キーを生成するステップと、
前記暗号化キーを用いて前記ターゲットコンテンツを暗号化するステップと、
前記パイロットコンテンツと前記ターゲットコンテンツとを用いてパッケージングコンテンツに生成するステップとを含むことを特徴とするコンテンツサービス提供方法。
【請求項１４】
前記パイロットコンテンツの暗号化のための公開キーを選択するステップと、
前記公開キーを用いて前記パイロットコンテンツを暗号化するステップとをさらに含むことを特徴とする請求項１３に記載のコンテンツサービス提供方法。
【請求項１５】
前記複数の分割キーを計算するステップは、
予め設定された前記データブロックの個数と同じ個数の分割キーを計算することを特徴とする請求項１３に記載のコンテンツサービス提供方法。
【請求項１６】
前記パッケージングコンテンツは、ヘッダーを含み、
前記ヘッダーは、前記パッケージングコンテンツの識別のための識別情報と、前記パイロットコンテンツの再生に優先順位を与える情報と、前記パイロットコンテンツの前記公開キーを獲得できるアドレス情報とを含むことを特徴とする請求項１４に記載のコンテンツサービス提供方法。
【請求項１７】
前記パイロットコンテンツを暗号化するステップは、
前記パイロットコンテンツの暗号化のための暗号化方式を決定するステップを含み、
前記暗号化方式は、
パイロットコンテンツに対し、全体再生する場合にターゲットコンテンツ用復号化キーが獲得される二律背反（ａｌｌ  ｏｒ  ｎｏｔｈｉｎｇ）方式、パイロットコンテンツに対し、設定された一部の区間以上再生する場合にターゲットコンテンツ用復号化キーが獲得される臨界（ｔｈｒｅｓｈｏｌｄ）方式のいずれか一つを含むことを特徴とする請求項１４に記載のコンテンツサービス提供方法。
【請求項１８】
前記パッケージングコンテンツは、ターゲットコンテンツ用復号化キーが有効であるか否かを判別するための認証情報と、前記パイロットコンテンツをダウンロードするためのアドレス情報とを含むことを特徴とする請求項１６に記載のコンテンツサービス提供方法。
【請求項１９】
前記パッケージングサーバーは、
携帯端末から前記パッケージングコンテンツを構成する前記パイロットコンテンツ及びターゲットコンテンツが選択されると、前記携帯端末の選択に対応する前記パッケージングコンテンツを生成することを特徴とする請求項１３に記載のコンテンツサービス提供方法。
【請求項２０】
前記パッケージングサーバーは、
広告サーバーから広告コンテンツを獲得し、獲得した広告コンテンツを前記パイロットコンテンツに生成し、生成したパイロットコンテンツとターゲットコンテンツとを用いて前記パッケージングコンテンツを生成することを特徴とする請求項１３に記載のコンテンツサービス提供方法。
【請求項２１】
前記パイロットコンテンツが再生された部分に対応する復号化キーの部分によって前記ターゲットコンテンツの無料の部分が提供され、
ターゲットコンテンツの残りの部分に対する割引された費用の支払いによって前記ターゲットコンテンツの前記復号化キーの残りの部分が提供されることを特徴とする請求項１３に記載のコンテンツサービス提供方法。
【請求項２２】
パイロットコンテンツと前記パイロットコンテンツの暗号化キーを用いて暗号化したターゲットコンテンツとを含むパッケージングコンテンツを受信する受信手段と、
受信したパッケージングコンテンツを格納する格納手段と、
前記パッケージングコンテンツの前記パイロットコンテンツの再生時、前記パイロットコンテンツのデータブロックの復号化によって前記パイロットコンテンツの各データブロックに対応する複数の分割キーを獲得し、前記パイロットコンテンツの再生が完了すると、前記複数の分割キーを用いて前記ターゲットコンテンツの再生のための復号化キーを生成し、前記復号化キーを用いて前記パッケージングコンテンツのターゲットコンテンツを再生する処理手段とを含むことを特徴とする携帯端末。
【請求項２３】
前記携帯端末は、
前記復号化キーが、前記パイロットコンテンツの正常的な再生によって生成される正常的な復号化キーである場合、前記パイロットコンテンツの再生情報を累積して格納し、前記累積した再生情報とパイロットコンテンツの再生条件とを比較し、前記再生条件を満足すると、前記復号化キーによって前記ターゲットコンテンツを再生し、前記ターゲットコンテンツの再生の完了時、前記復号化キーを前記ターゲットコンテンツの復号化キーとして格納することを含み、
前記再生条件は、前記パイロットコンテンツに対する正常的な再生ステップが実行された回数、又は時間に対する設定値であることを特徴とする請求項２２に記載の携帯端末。
【請求項２４】
前記携帯端末は、
前記公開キーを獲得するためのアドレス情報によって前記パイロットコンテンツの前記公開キーを獲得し、前記公開キーによって前記パイロットコンテンツを再生することを特徴とする請求項２３に記載の携帯端末。
【請求項２５】
前記携帯端末は、
前記パイロットコンテンツの再生時、前記パイロットコンテンツを構成する各データブロックと、前記各データブロックに割り当てられたマイルストーンから前記複数の分割キーを獲得し、前記複数の分割キーは、前記各データブロック又は前記マイルストーンの個数に対応するように獲得することを特徴とする請求項２４に記載の携帯端末。
【請求項２６】
コンテンツサービスを提供するサーバーにおいて、
携帯端末から選択されるパイロットコンテンツとターゲットコンテンツを用いてパッケージングコンテンツを生成して提供するパッケージングサーバーを含み、
前記パッケージングサーバーは、
前記パイロットコンテンツを設定された個数のデータブロックに区分し、区分したデータブロック別にマイルストーン（ｍｉｌｅｓｔｏｎｅ）を割り当て、前記各データブロックと各データブロックに割り当てられた前記マイルストーンから複数の分割キーを計算し、前記複数の分割キーを用いて前記ターゲットコンテンツを暗号化するための暗号化キーを生成し、前記暗号化キーを用いて前記ターゲットコンテンツを暗号化し、前記パイロットコンテンツと前記ターゲットコンテンツとを用いてパッケージングコンテンツに生成することを特徴とするサーバー。
【請求項２７】
前記パッケージングサーバーは、
公開キーを用いて前記パイロットコンテンツを暗号化することを特徴とする請求項２６に記載のサーバー。
【請求項２８】
前記パッケージングコンテンツは、ヘッダーを含み、
前記ヘッダーは、前記パッケージングコンテンツの識別のための識別情報と、前記パイロットコンテンツの再生に優先順位を与える情報と、前記公開キーを獲得できるアドレス情報とを含むことを特徴とする請求項２７に記載のサーバー。
【請求項２９】
コンテンツサービス提供システムにおいて、
携帯端末からパイロットコンテンツとターゲットコンテンツが選択されると、前記パイロットコンテンツを設定された個数のデータブロックに区分し、前記データブロック別にマイルストーン（ｍｉｌｅｓｔｏｎｅ）を割り当て、前記各データブロックと各データブロックに前記割り当てられたマイルストーンから複数の分割キーを計算し、前記複数の分割キーを用いて前記ターゲットコンテンツを暗号化するための暗号化キーを生成し、前記暗号化キーを用いて前記ターゲットコンテンツを暗号化し、前記暗号化したパイロットコンテンツと前記暗号化したターゲットコンテンツとを含むパッケージングコンテンツを生成し、
前記生成したパッケージングコンテンツを前記携帯端末に提供するパッケージングサーバーと、
前記パッケージングコンテンツを受信し、前記パイロットコンテンツの再生時、前記パイロットコンテンツを構成するデータブロックを復号化し、前記データブロックの復号化によって前記データブロックに対応する複数の分割キーを獲得し、前記パイロットコンテンツの再生が完了する際、前記復号化によって獲得した前記複数の分割キーを用いて前記ターゲットコンテンツの再生のための復号化キーを生成し、前記ターゲットコンテンツ用復号化キーを用いて前記パッケージングコンテンツの前記ターゲットコンテンツを再生する前記携帯端末とを有することを特徴とするコンテンツサービス提供システム。
【請求項３０】
前記パッケージングサーバーは、前記ターゲットコンテンツ用復号化キーが有効であるか否かを判別するための認証情報と、前記パイロットコンテンツをダウンロードするためのアドレス情報とを前記パッケージングコンテンツに含めて伝送し、
前記携帯端末は、前記ターゲットコンテンツ用復号化キーと前記認証情報とが一致するか否かによって前記ターゲットコンテンツ用復号化キーが有効であるか否かを決定し、前記ターゲットコンテンツ用復号化キーが有効でない場合、前記アドレス情報を用いて前記パイロットコンテンツをダウンロードすることを特徴とする請求項２９に記載のコンテンツサービス提供システム。
【手続補正２】
【補正対象書類名】明細書
【補正対象項目名】発明の名称
【補正方法】変更
【補正の内容】
【発明の名称】コンテンツサービス提供方法及びそのシステム並びに携帯端末及びサーバー
【手続補正３】
【補正対象書類名】明細書
【補正対象項目名】０００１
【補正方法】変更
【補正の内容】
【０００１】
本発明は、デジタルコンテンツサービスを提供するコンテンツサービス提供方法及びそのシステム並びに携帯端末及びサーバーに関し、特に、ＤＲＭ（Ｄｉｇｉｔａｌ  Ｒｉｇｈｔｓ  Ｍａｎａｇｅｍｅｎｔ）コンテンツと特定の広告を含む広告コンテンツとからなるパッケージングコンテンツを提供し、広告コンテンツの視聴（聴取）によってＤＲＭコンテンツの実行を可能とするコンテンツサービス提供方法及びそのシステム並びに携帯端末及びサーバーに関する。
【手続補正４】
【補正対象書類名】明細書
【補正対象項目名】０００７
【補正方法】変更
【補正の内容】
【０００７】
そこで、本発明は上記従来のコンテンツサービスにおける問題点に鑑みてなされたものであって、本発明の目的は、広告基盤コンテンツサービスを提供するコンテンツサービス提供方法及びそのシステム並びに携帯端末及びサーバーを提供することにある。
【手続補正５】
【補正対象書類名】明細書
【補正対象項目名】０００８
【補正方法】変更
【補正の内容】
【０００８】
また、本発明の他の目的は、ＤＲＭコンテンツをユーザが無料で利用できるようにするコンテンツサービス提供方法及びそのシステム並びに携帯端末及びサーバーを提供し、また広告コンテンツとＤＲＭコンテンツとからなるパッケージングコンテンツを提供し、広告コンテンツの広告視聴（聴取）によってＤＲＭコンテンツを無料で利用できるようにするコンテンツサービス提供方法及びそのシステム並びに携帯端末及びサーバーを提供することにある。
【手続補正６】
【補正対象書類名】明細書
【補正対象項目名】０００９
【補正方法】変更
【補正の内容】
【０００９】
上記目的を達成するためになされた本発明によるコンテンツサービス提供方法は、携帯端末におけるコンテンツサービス提供方法において、パイロットコンテンツと、前記パイロットコンテンツの暗号化キーを用いて暗号化したターゲットコンテンツとを含むパッケージングコンテンツを受信するステップと、前記パッケージングコンテンツの再生が要請されると、前記パッケージングコンテンツの前記パイロットコンテンツを再生するステップと、前記パイロットコンテンツの再生時、前記パイロットコンテンツのデータブロックを復号化するステップと、前記データブロックの復号化によって前記データブロックに対応する複数の分割キーを獲得するステップと、前記復号化によって獲得した前記複数の分割キーを用いて前記ターゲットコンテンツの再生のための復号化キーを生成するステップと、前記ターゲットコンテンツ用復号化キーを用いて前記パッケージングコンテンツのターゲットコンテンツを再生するステップとを含むことを特徴とする。
また、上記目的を達成するためになされた本発明によるコンテンツサービス提供方法は、パッケージングサーバーにおけるコンテンツサービス提供方法において、前記パッケージングコンテンツを構成するパイロットコンテンツ及びターゲットコンテンツを選択するステップと、前記パイロットコンテンツを予め設定された個数のデータブロックに区分するステップと、前記パイロットコンテンツの各データブロック別にマイルストーン（ｍｉｌｅｓｔｏｎｅ）を割り当てるステップと、前記各データブロックと各データブロックに割り当てられた前記マイルストーンから複数の分割キーを計算するステップと、前記複数の分割キーを用いて前記ターゲットコンテンツを暗号化するための暗号化キーを生成するステップと、前記暗号化キーを用いて前記ターゲットコンテンツを暗号化するステップと、前記パイロットコンテンツと前記ターゲットコンテンツとを用いてパッケージングコンテンツに生成するステップとを含むことを特徴とする。
【手続補正７】
【補正対象書類名】明細書
【補正対象項目名】００１０
【補正方法】変更
【補正の内容】
【００１０】
上記目的を達成するためになされた本発明による携帯端末は、パイロットコンテンツと前記パイロットコンテンツの暗号化キーを用いて暗号化したターゲットコンテンツとを含むパッケージングコンテンツを受信する受信手段と、受信したパッケージングコンテンツを格納する格納手段と、前記パッケージングコンテンツの前記パイロットコンテンツの再生時、前記パイロットコンテンツのデータブロックの復号化によって前記パイロットコンテンツの各データブロックに対応する複数の分割キーを獲得し、前記パイロットコンテンツの再生が完了すると、前記複数の分割キーを用いて前記ターゲットコンテンツの再生のための復号化キーを生成し、前記復号化キーを用いて前記パッケージングコンテンツのターゲットコンテンツを再生する処理手段とを含むことを特徴とする。
【手続補正８】
【補正対象書類名】明細書
【補正対象項目名】００１１
【補正方法】変更
【補正の内容】
【００１１】
上記目的を達成するためになされた本発明によるサーバーは、コンテンツサービスを提供するサーバーにおいて、携帯端末から選択されるパイロットコンテンツとターゲットコンテンツを用いてパッケージングコンテンツを生成して提供するパッケージングサーバーを含み、前記パッケージングサーバーは、前記パイロットコンテンツを設定された個数のデータブロックに区分し、区分したデータブロック別にマイルストーン（ｍｉｌｅｓｔｏｎｅ）を割り当て、前記各データブロックと各データブロックに割り当てられた前記マイルストーンから複数の分割キーを計算し、前記複数の分割キーを用いて前記ターゲットコンテンツを暗号化するための暗号化キーを生成し、前記暗号化キーを用いて前記ターゲットコンテンツを暗号化し、前記パイロットコンテンツと前記ターゲットコンテンツとを用いてパッケージングコンテンツに生成することを特徴とする。
【手続補正９】
【補正対象書類名】明細書
【補正対象項目名】００１２
【補正方法】変更
【補正の内容】
【００１２】
上記目的を達成するためになされた本発明によるコンテンツサービス提供システムは、コンテンツサービス提供システムにおいて、携帯端末からパイロットコンテンツとターゲットコンテンツが選択されると、前記パイロットコンテンツを設定された個数のデータブロックに区分し、前記データブロック別にマイルストーン（ｍｉｌｅｓｔｏｎｅ）を割り当て、前記各データブロックと各データブロックに前記割り当てられたマイルストーンから複数の分割キーを計算し、前記複数の分割キーを用いて前記ターゲットコンテンツを暗号化するための暗号化キーを生成し、前記暗号化キーを用いて前記ターゲットコンテンツを暗号化し、前記暗号化したパイロットコンテンツと前記暗号化したターゲットコンテンツとを含むパッケージングコンテンツを生成し、前記生成したパッケージングコンテンツを前記携帯端末に提供するパッケージングサーバーと、前記パッケージングコンテンツを受信し、前記パイロットコンテンツの再生時、前記パイロットコンテンツを構成するデータブロックを復号化し、前記データブロックの復号化によって前記データブロックに対応する複数の分割キーを獲得し、前記パイロットコンテンツの再生が完了する際、前記復号化によって獲得した前記複数の分割キーを用いて前記ターゲットコンテンツの再生のための復号化キーを生成し、前記ターゲットコンテンツ用復号化キーを用いて前記パッケージングコンテンツの前記ターゲットコンテンツを再生する前記携帯端末とを有することを特徴とする。
【手続補正１０】
【補正対象書類名】明細書
【補正対象項目名】００１３
【補正方法】変更
【補正の内容】
【００１３】
本発明に係るコンテンツサービス提供方法及びそのシステム並びに携帯端末及びサーバーによれば、広告コンテンツを全て（二律背反方式）、又は一部（臨界方式）を視聴（聴取）する場合、ユーザの希望によるＤＲＭコンテンツ用復号化キーを獲得することができる。これによって、ユーザは、広告視聴によってＤＲＭコンテンツを無料で利用することができ、ユーザが任意に広告データ（画像、オーディオ等）のスキップのような行為を防止することによって、広告主はより確実な広告効果及び会計収集が可能であるという効果がある。
【手続補正１１】
【補正対象書類名】明細書
【補正対象項目名】００１７
【補正方法】変更
【補正の内容】
【００１７】
次に、本発明に係るコンテンツサービス提供方法及びそのシステム並びに携帯端末及びサーバーを実施するための形態の具体例を図面を参照しながら説明する。